(57)【要約】【課題】本発明は高出力で歪みを大幅に低減できる薄型のスピーカを提供することを目的とするものである。【解決手段】そして、この目的を達成するために本発明は、磁気ギャップ１８を介して斜め方向、または略水平方向に配置した第一、第二の磁石１１、１３と、磁気ギャップ１８に可動自在に配置したボイスコイル体２１と、このボイスコイル体２１に結合した振動板２２と第一、第二のダンパー１５、１６とを備え、振動板２２はボイスコイル体２１の上部に結合され、第一のダンパー１５をその一端がボイスコイル体２１の上部に接続するとともに第一の磁石１１の上方に配置し、第二のダンパー１６をその一端がボイスコイル体２１の下部に接続するとともに第二の磁石１３の下方に配置する構成としたものである。【選択図】図１
2008092030.tif 000002
【特許請求の範囲】
【請求項１】
磁気ギャップを介して斜め方向、または略水平方向に配置した第一、第二の磁石と、前記磁気ギャップに可動自在に配置したボイスコイル体と、このボイスコイル体に結合した振動板と第一、第二のダンパーとを備え、前記振動板はボイスコイル体の上部に結合され、第一のダンパーをその一端がボイスコイル体の上部に接続するとともに第一の磁石の上方に配置し、前記第二のダンパーをその一端がボイスコイル体の下部に接続するとともに第二の磁石の下方に配置する構成としたスピーカ。
【請求項２】
第一、第二の磁石は磁気的に連結させて磁気回路を形成させるようにした請求項１に記載のスピーカ。
【発明の詳細な説明】
【技術分野】
【０００１】
本発明は各種音響機器および情報通信機器に使用されるスピーカに関するものである。
【背景技術】
【０００２】
従来のスピーカについて、図２により説明する。
【０００３】
図２は従来のスピーカの断面図を示したものである。
【０００４】
図２によると、着磁された磁石１をセンターポール３Ａを有する下部プレート３に結合し、磁石１の下部プレート３と結合した反対側に上部プレート２を結合して、これらで外磁型の磁気回路４を構成している。
【０００５】
そして、この磁気回路４にフレーム６を結合し、このフレーム６の周縁部に振動板７を結合している。
【０００６】
そして、この振動板７にボイスコイル体８を結合するとともに、このボイスコイル体８を上記磁気回路４の磁気ギャップ５に挿入してスピーカを構成している。
【０００７】
なお、この出願の発明に関する先行技術文献情報としては、例えば、特許文献１が知られている。
【特許文献１】特開２００５−５１２８３号公報
【発明の開示】
【発明が解決しようとする課題】
【０００８】
しかしながら、従来のスピーカにおいては、大振幅時に駆動系部品であるボイスコイル体８がローリングを起こし、歪みや異常音を発生するという問題があった。
【０００９】
このローリングを起こす要因としては、比較的重量のあるボイスコイル体８を振動板７が支え、しかもボイスコイル体８の上端のみで固定された、いわば片持ち梁の状態で支持されているため、大振幅時にボイスコイル体８が振り子のように振れながら上下振幅をすることにより、ローリングによる歪みやギャップ不良により異常音を発生するという課題を有していた。
【００１０】
そこで、本発明はこのような課題を解決し、高出力の音圧を上げることができるとともに、スピーカの歪みを低減させることのできるスピーカを提供することを目的とする。
【課題を解決するための手段】
【００１１】
そして、この目的を達成するために本発明は、磁気ギャップを介して斜め方向、または略水平方向に配置した第一、第二の磁石と、前記磁気ギャップに可動自在に配置したボイスコイル体と、このボイスコイル体に結合する振動板と第一、第二のダンパーとを備え、前記振動板はボイスコイル体の上部に結合され、第一のダンパーをその一端がボイスコイル体の上部に接続するとともに第一の磁石の上方に配置し、前記第二のダンパーをその一端がボイスコイル体の下部に接続するとともに第二の磁石の下方に配置する構成としたものである。
【発明の効果】
【００１２】
本発明は、第一の磁石と第二の磁石である二つの磁石を用いることにより大きな駆動力を発生させて高出力の音圧を上げることができるとともに、ボイスコイル体の上方と下方にダンパーを取り付けたことにより、いわば両持ち梁の構成となることから、大振幅時にもボイスコイル体のローリングを防止してスピーカの歪みやギャップ不良を低減できるものである。
【発明を実施するための最良の形態】
【００１３】
以下、本発明の一実施の形態について図１を用いて説明する。
【００１４】
図１は本発明のスピーカを示す断面図であり、下ヨーク１７ａの中央部に第一の磁石１１と第一のプレート１２が接着により配置され、上ヨーク１７ｂの内側に第二の磁石１３と第二のプレート１４が接着により配置されている。下ヨーク１７ａと上ヨーク１７ｂはフレーム２３により保持されている。
【００１５】
そして、第一の磁石１１と第一のプレート１２は第二の磁石１３と第二のプレート１４と斜め方向、又は略水平方向に配置され、これらの下ヨーク１７ａ、上ヨーク１７ｂ、第一の磁石１１、第一のプレート１２、第二の磁石１３、第二のプレート１４により磁気回路が構成される。このような構成の磁気回路は斜向磁気回路と呼ばれている。
【００１６】
磁気ギャップ１８は、第一の磁石１１、第一のプレート１２と第二の磁石１３、第二のプレート１４により、上面側に向けて開口して形成されている。
【００１７】
ボイスコイル体２１は、円筒状のボビン１９の外周部にコイル２０が巻き付けられた構造であり、磁気ギャップ１８に対して上下方向に可動自在に配置されたもので、ボイスコイル体２１の上方の外周部に接続された振動板２２を振動させる軸となる構造となっている。
【００１８】
第一のダンパー１５は円板状のコルゲート構造で、その外周端部はボイスコイル体２１のコイル２０よりも上方の上端部に近い位置に接続され、その内周端部は凸部の形状をした第一のプレート１２の凸部の上端部に接続されている。一方、第二のダンパー１６は円板状のコルゲート構造で、その内周端部はボイスコイル体２１のコイル２０より下方の下端部の位置に接続され、その外周端部は下ヨーク１７ａと上ヨーク１７ｂの接続部に接続されている。このコルゲート構造は弾性をもつ波板状のリング構造であり、ボイスコイル体２１の駆動に対応して伸縮する構成となっており、ボイスコイル体２１の駆動に追従しやすくなっている。
【００１９】
ボイスコイル体２１のコイル２０に音声信号を印加することで、磁気ギャップ１８の磁界と反応しボイスコイル体２１が上下方向に駆動し、この駆動により振動板２２が振動してスピーカから音が発信されるものである。
【００２０】
本発明のスピーカは、第一の磁石１１と第二の磁石１３の二つの磁石を用いて磁気ギャップ１８を構成しているため、ボイスコイル体２１に大きな駆動力を発生させることができ、その結果として振動板２２による音声出力も大きなものとすることができる。
【００２１】
また、このような磁気回路構成においては、第二の磁石１３の下方に第二のダンパー１６を配置する空間を設けることができるので、この位置に第二のダンパー１６を配置し、この第二のダンパー１６の内周端をボイスコイル体２１の下方の端部に接続することができる。これにより、ボイスコイル体２１は上方の端部に第一のダンパー１５を、下方の端部に第二のダンパー１６を取り付けることができるので、いわゆる両持ち梁の構成となることから、ボイスコイル体２１のローリングを防止することができる。
【００２２】
上記の実施の形態は、スピーカの形状を円形として説明したが、上記の構成を有するものであれば、楕円形や細長形であってもよいのは勿論である。
【産業上の利用可能性】
【００２３】
本発明は、薄型構造のスピーカにおいて、高出力の音圧を上げることができるとともに、歪みやギャップ不良を低減させることができ、各種音響機器および情報通信機器に使用されるスピーカに有用である。
【図面の簡単な説明】
【００２４】
【図１】本発明の一実施の形態におけるスピーカの断面図
【図２】従来のスピーカの断面図
【符号の説明】
【００２５】
１１  第一の磁石
１２  第一のプレート
１３  第二の磁石
１４  第二のプレート
１５  第一のダンパー
１６  第二のダンパー
１７ａ  下ヨーク
１７ｂ  上ヨーク
１８  磁気ギャップ
１９  ボビン
２０  コイル
２１  ボイスコイル体
２２  振動板
２３  フレーム
【図１】
2008092030.tif 000003
【図２】
2008092030.tif 000004